(57)【要約】【課題】室内等の壁面に固定した長押本体にポールを支持するためのポール受具を容易且つ着脱自在に取り付けることを可能とした物掛け用ポール受具を提供する。【解決手段】少なくとも２個のポール受具１、１を長押本体１０のフック受けレール１１に間隔をあけて配し、各ポール受具１のフック部６をフック受けレール１１の凹溝１３側に引掛けて回動しつつ押下げることによって嵌合させ、各ポール受具１の下部押さえ片８で長押本体１０の下端を挟持することによって各ポール受具１を長押本体１０に取り付け、この状態で各ポール受具１のアーム２に設けられたポール受部３にポール４を掛けることを可能とする一方、長押本体１０の下端から下部押さえ片８を引き外すと共にフック部６をフック受けレール１１の周りに回動しつつ取り外し可能とした。【選択図】図１
2011015884.tif 000002
【特許請求の範囲】
【請求項１】
壁面に水平状に固定する長尺板材の上方外側に沿って張り出したフック受けレールと、該フック受けレールの後部に沿って形成した凹溝とを有してなる長押本体のフック受けレールに着脱自在且つ摺動自在に取り付ける物掛け用ポール受具において、
該ポール受具は、長押本体のフック受けレールの凹溝側に引掛けて嵌合するフック部と、該フック部の下部から垂下してなる支持片と、該支持片の下端にて水平後方に張り出した下部押さえ片と、支持片の下端から水平前方に張り出したアームと、該アームの先端に設けられたポール受部と、該ポール受部に掛けるポールとからなり、
少なくとも２個のポール受具を長押本体のフック受けレールに間隔をあけて配し、各ポール受具のフック部をフック受けレールの凹溝側に引掛けて回動しつつ押下げることによって嵌合させ、各ポール受具の下部押さえ片で長押本体の下端を挟持することによって各ポール受具を長押本体に取り付け、この状態で各アームのポール受部にポールを掛けることを可能とする一方、
長押本体の下端から下部押さえ片を引き外すと共にフック部をフック受けレールの周りに回動しつつ取り外し可能としたことを特徴とする物掛け用ポール受具。
【請求項２】
各ポール受具のアームの上部に沿って設けられた補強リブに小径ポールを受けるための小径ポール受溝が形成されていることを特徴とする請求項１記載の物掛け用ポール受具。
【請求項３】
各ポール受具の支持片の後面に長押本体に当接してアームを水平に保つ突出片が形成されていることを特徴とする請求項１又は２記載の物掛け用ポール受具。
【発明の詳細な説明】
【技術分野】
【０００１】
本発明は、室内等の壁面に固定した長押本体にポールを支持するためのポール受具を取り付け、該ポール受具に取り付けたポールに衣服用ハンガーや物干し用ハンガー等を引掛けるようにした物掛け用ポール受具に関する。
【背景技術】
【０００２】
従来から日本家屋等に設けられている長押は、鴨居の上部に化粧材として取り付けられ、この長押の上部に設けられた凹溝に衣服用ハンガー等を簡易に引掛けることが可能とされている。
【０００３】
そこで、上記のような長押を利用して衣服用ハンガー等を引掛けるようにした従来の技術を参照する。特許文献１に記載されている衣服ハンガー吊下装置は、長押や回縁の取付桟板に間隔をあけて２個の取付具が取り付けられ、各取付具に取付腕杆の基部を回動自在に設け、さらに各取付腕杆の先端部に水平吊杆の両端部を軸着することにより、水平吊杆を回動自在に連結した取付腕杆を折り畳み自在にしたものである。
【０００４】
従って、このような衣服ハンガー吊下装置は、取付腕杆を回動して起した状態にすることによって水平吊杆にハンガーを吊り下げることが可能とされている。また、水平吊杆からハンガーを外して取付腕杆を取付桟板側に折り畳むことも可能とされている。
【０００５】
また、上記の特許文献１の構成は、取付桟板の上縁と下縁とを上下の縁押さえ片で挟み込むと共に、締付調整用回動ナットを回動する締付け機構によって上下の縁押え片の対向間隔を調整するようにしている。
【０００６】
ところで、上記の特許文献１は、取付桟板に取り付ける取付具の構造が、取付桟板の上縁と下縁とに当接する上下の縁押さえ片で挟み込むように構成されているため、締付調整用回動ナットを回動することによって締付け機構を締め付けたとしても、取付桟板に取り付けられた取付具の固定強度が不十分であるという欠点があった。
【０００７】
特許文献２は、上記の特許文献１の欠点を解消するためになされたものであり、取付具の上方の縁押さえ片に係止爪が垂設され、この係止爪を取付桟板の上縁に食い込ませることによって、取付具の上方の縁押さえ片で取付桟板を挟持した際の固定強度を十分にしたものである。
【先行技術文献】
【特許文献】
【０００８】
【特許文献１】実開平４−６６２５号公報
【特許文献２】実開平７−４７１１１号公報
【発明の概要】
【発明が解決しようとする課題】
【０００９】
ところで、上記した特許文献１と特許文献２の構造は、いずれも、締付調整用回動ナットを回動するようにした締付け機構や、水平吊杆を回動自在に連結した取付腕杆を折り畳み自在にする機構を有し、構造が複雑である。しかも、取付腕杆等を長押等の取付桟板から容易に取り外すことが困難であり、また、この衣服ハンガー吊下装置が不要なとき、装置全体を簡単に取り外すことが困難であるという不都合があった。
【００１０】
これに対して、本発明は、室内等の壁面に固定した長押本体にポールを支持するためのポール受具を容易且つ着脱自在に取り付けることを可能とした物掛け用ポール受具を提供することを目的とするものである。
【００１１】
即ち、本発明は、壁面に水平状に固定する長尺板材の上方外側に沿って張り出したフック受けレールと、該フック受けレールの後部に沿って形成した凹溝とを有してなる長押本体の使用を前提とし、この長押本体に対して容易且つ着脱自在に取り付けたポール受具を利用して衣服用ハンガーや物干し用ハンガー等を引掛けるように構成した物掛け用ポール受具を提供することを目的とする。
【課題を解決するための手段】
【００１２】
上記の目的を達成するために、本発明における請求項１の物掛け用ポール受具は、壁面に水平状に固定する長尺板材の上方外側に沿って張り出したフック受けレールと、該フック受けレールの後部に沿って形成した凹溝とを有してなる長押本体のフック受けレールに着脱自在且つ摺動自在に取り付ける物掛け用ポール受具において、該ポール受具は、長押本体のフック受けレールの凹溝側に引掛けて嵌合するフック部と、該フック部の下部から垂下してなる支持片と、該支持片の下端にて水平後方に張り出した下部押さえ片と、支持片の下端から水平前方に張り出したアームと、該アームの先端に設けられたポール受部と、該ポール受部に掛けるポールとからなり、少なくとも２個のポール受具を長押本体のフック受けレールに間隔をあけて配し、各ポール受具のフック部をフック受けレールの凹溝側に引掛けて回動しつつ押し下げることによって嵌合させ、各ポール受具の下部押さえ片で長押本体の下端を挟持することによって各ポール受具を長押本体に取り付け、この状態で各アームのポール受部にポールを掛けることを可能とする一方、長押本体の下端から下部押さえ片を引き外すと共にフック部をフック受けレールの周りに回動しつつ取り外し可能としたことを特徴とする。
【００１３】
また、本発明の請求項２は、請求項１において、各ポール受具のアームの上部に沿って設けられた補強リブに小径ポールを受けるための小径ポール受溝が形成されていることを特徴とする。
【００１４】
さらに、本発明の請求項３は、請求項１又は２において、各ポール受具の支持片の後面に長押本体に当接してアームを水平に保つ突出片が形成されていることを特徴とする。
【発明の効果】
【００１５】
本発明の物掛け用ポール受具によれば、室内等の壁面に水平状に固定した長押本体のフック受けレールに少なくとも２個のポール受具を間隔をあけて配し、各ポール受具のフック部をフック受けレールの凹溝側に引掛けて回動しつつ押し下げることによって嵌合させ、各ポール受具の下部押さえ片で長押本体の下端を挟持することによって各ポール受具を長押本体に取り付けることが可能となる。
【００１６】
従って、壁面に固定してある長押本体に非常に簡単な操作によってポール受具を取り付けることが可能となり、長押本体に取り付けた少なくとも２個のポール受具の各アームのポール受部にポールを掛けて、このポールに衣服用ハンガーや物干し用ハンガー、さらにはＳ字フック等を引掛けることが可能となる。
【００１７】
また、各ポール受具は長押本体のフック受けレールに沿って容易に摺動することが可能であるため、ポールの長さやポールを取り付けるべき位置によって、各ポール受具を横にずらして位置決めし、各ポール受具のポール受部にポールを掛けることが可能となる。
【００１８】
また、上記のポールが不要なときは、ポール受具を長押本体から容易に取り外すことが可能であり、長押本体からポール受具を取り外した後には、室内の壁面に長押本体のみを残すこととなり、室内が見た目にもすっきりとして、意匠性にも優れたものとなる。
【図面の簡単な説明】
【００１９】
【図１】本発明の実施例１における物掛け用ポール受具を長押本体に取り付けると共に、ポールに衣服用ハンガーとＳ字フックを引掛けた状況を示す斜視図である。
【図２】本発明の実施例１における物掛け用ポール受具を長押本体に取り付けた状況を示す斜視図である。
【図３】本発明の実施例１における物掛け用ポール受具を長押本体に取り付けた状況を示す側面図である。ただし、長押本体と壁部は断面で示す。
【図４】(ａ)〜(ｃ)は本発明の実施例１における長押本体を壁面にネジで固定し、この長押本体に物掛け用ポール受具を取り付ける手順を示す側面図である。ただし、長押本体と壁部は断面で示す。
【図５】本発明の他の実施例における物掛け用ポール受具を長押本体に取り付けた状況を示す斜視図である。
【図６】本発明の他の実施例における物掛け用ポール受具を長押本体に取り付けると共に、ポールに衣服用ハンガーを引掛けた状況を示す斜視図である。
【図７】本発明の他の実施例における物掛け用ポール受具を長押本体に取り付けた状況を示す側面図である。ただし、長押本体と壁部は断面で示す。
【図８】(ａ)は本発明の実施例２における物掛け用ポール受具を長押本体に取り付けた状況を示す斜視図である。（ｂ）は本発明の実施例２における物掛け用ポール受具を長押本体に取り付けた状況を示す側面図（長押本体と壁部は断面で示す）である。
【発明を実施するための形態】
【００２０】
以下、本発明の実施例について図面を参照しながら説明する。
【実施例１】
【００２１】
本発明は、図１に示すように、少なくとも２個のポール受具１を長押本体１０に設けたフック受けレール１１に間隔をあけて着脱自在に取り付けると共に、各ポール受具１に設けられたアーム２のポール受部３にポール４を取り付け、このポール４に衣服用ハンガー５や物干し用ハンガー等を引掛けることを可能としたものである。
【００２２】
まず、本実施例の長押本体１０について、図２又は図３を参照しながら説明する。この長押本体１０は、硬質樹脂よりなる長尺板材１２の上方外側に沿ってフック受けレール１１が張り出した状態に形成され、フック受けレール１１の後部に沿って長手方向に凹溝１３が形成されてなるものである。このフック受けレール１１は、断面形状が円形をなす湾曲形状に形成され、フック受けレール１１の湾曲形状の一部が長押本体１０の前面から突出したものとなり、このフック受けレール１１に、後述するポール受具１の湾曲形状のフックを嵌合するようにしている。
【００２３】
また、長押本体１０のフック受けレール１１の下部前面には長押本体１０の長尺方向に沿って溝面１４が形成され、該溝面１４に軟質の合成樹脂シート等による化粧シート１５が接着剤等で固定されている。さらに、この化粧シート１５に対面する部位の長押本体１０の内部は、画鋲やネジクギ等を捩じ込み易いように多孔質体とされている。従って、画鋲やネジクギ等を引き抜いた後には、軟質の化粧シート１５に画鋲やネジクギ等の引抜き穴が生じ難く、この化粧シート１５で長押本体１０の引抜き穴を隠した状態にすることが可能となる。
【００２４】
上記の長押本体１０を壁面に固定するには、図４（ａ）に示すように、長押本体１０の溝面１４から化粧シート１５を外した状態にして、この長押本体１０を壁面に沿って水平にすると共に、長押本体１０の溝面１４から木ネジ１６等を化粧ボード１７及び下地１８まで捩じ込んで固定する。次いで、長押本体１０の溝面１４に化粧シート１５を接着剤または両面テープ等で固定することにより、木ネジ１６等の頭部を隠すことができ、長押本体１０を綺麗な外観で取り付けることが可能となる。なお、本実施例における長押本体１０は、木ネジ１６の他に、コンクリート、軽鉄、木製品等の下地に応じた固定具を使用することによって、各種の壁面に堅固に固定することが可能である。
【００２５】
上記のように、本実施例の長押本体１０はマンションやアパートの壁面に取り付けることによって、長押本体１０の化粧シート１５にポスターやカレンダー等を張り付けるためのピンや画鋲を容易に刺すことが可能である。さらに、上記の長押本体１０においては、長押本体１０のフック受けレール１１の後方の凹溝１３に洋服用ハンガーを容易に引掛けておくことが可能である。
【００２６】
ところで、マンションやアパート等においては、室内の長押等に物干し用ハンガーを引掛けたり、衣服用ハンガー５を引掛けることがある。ところが、物干し用ハンガーの場合はその周辺に空所が必要であり、また大量の衣服用ハンガーを引掛ける場合には長押等が損傷したり、見た目にも室内が乱雑になるという不都合が生じる。
【００２７】
本実施例は、上記の不都合を解消すると共に、マンションやアパート等の室内において、物干し用ハンガーや大量の衣服用ハンガー５を手軽に綺麗な状態で引掛けることを可能とするものである。
【００２８】
そのための構成として、本実施例においては、上記の長押本体１０のフック受けレール１１に着脱自在且つ摺動自在に取り付ける物掛け用ポール受具１が構成されている。
【００２９】
この物掛け用ポール受具１は、強度を確保するために高強度の金属から形成されているが、他の硬質樹脂、例えば強化プラスチックのインジェクション成形によって作製することも可能である。また、この物掛け用ポール受具１の構成は、図２又は図３に示すように、長押本体１０のフック受けレール１１の後方の凹溝１３側に引掛けて嵌合するフック部６と（図４(ｂ)参照）、該フック部６の下部から垂下してなる支持片７と、該支持片７の下端にて水平後方に張り出した下部押さえ片８と、支持片７の下端から水平前方に張り出したアーム２と、該アーム２の先端に設けられたポール受部３と、該ポール受部３に掛けるポール４とからなるものである。
【００３０】
上記の構成をより詳細に述べると、物掛け用ポール受具１のフック部６は、長押本体１０のフック受けレール１１の断面が円弧形に湾曲した形状をなすことに対応して形成されたものである。即ち、図３に示すように、物掛け用ポール受具１のフック部６は、その先端がフック受けレール１１の後部の凹溝１３の底部に接触する部位からフック受けレール１１の円弧形外周に沿って前方へ回り込み、長押本体１０の前面に当接する位置まで湾曲すると共に、その下部から長押本体１０の前面に沿って垂下した支持片７を形成している。また、この支持片７の下端にて水平後方に張り出した下部押え片１９により、長押本体１０の下端を挟持することによって各ポール受具１を長押本体１０に取り付けることが可能となる。
【００３１】
従って、このようなポール受具１の形状によって、該ポール受具１を下方に引き下げる外力に対しては、フック部６がフック受けレール１１に係合されることよって抵抗することができる。また、ポール受具１を上方に押圧する外力に対しては、下部押え片１９が長押本体１０の下端部に当接することによって抵抗することができる。こうして、ポール受具１は簡易な構成であるが、該ポール受具１を上下方向から作用する外力に対して効率的に抵抗力を発揮し、長押本体１０に対して安定した取付状態を保つことが可能となる。
【００３２】
なお、本実施例においては、長押本体１０のフック受けレール１１の断面は円弧形状に湾曲した形状に形成されているが、図７に示すようにフック受けレール１１の断面形状が四角形等に近似した形状となるように形成してもよい。この場合、ポール受具１のフック部６の形状は、フック受けレール１１の断面形状に応じて四角形に角張った形状とする。
【００３３】
さらに、上記の支持片７の下端から水平前方に張り出したアーム２は、長尺板状に伸長した形状を有し、該アーム２の先端に下方に向けて円弧形状に湾曲したポール受部３が形成されている。このポール受部３は長尺円筒形のポール４を嵌合する半円弧形を有し、ポール受部３にポール４を掛けるだけでポール４は前後にぶれることなく定着状態となる。
【００３４】
また、各ポール受具１は長押本体１０のフック受けレール１１に沿って容易に摺動することが可能であるため、ポールの長さやポールを取り付けるべき位置によって、各ポール受具１を横にずらして位置決めした状態で各ポール受具１のポール受部３にポール４を掛けることが可能となる。
【００３５】
また、本実施例においては、各ポール受具１のアーム２の強度を補強するため、各ポール受具１のアーム２の上部に沿って補強リブ２０が形成されている。なお、アーム２の長さは特に限定されるものではなく、アーム２の強度や衣服用ハンガー５の大きさ等に応じて適宜設計することが可能である。
【００３６】
さらに、各ポール受具１の支持片７の後面には、長押本体１０の前面に当接してアーム２を水平状態に保つ突出片１９が形成されている。従って、この突出片１９の突出量は、アーム２を水平状態に保つことができるように設定することとなる。
【００３７】
本実施例の物掛け用ポール受具１は、上記のように構成されているため、図１に示すように、少なくとも２個のポール受具１を長押本体１０のフック受けレール１１に間隔をあけて配し、図４（ｂ）、（ｃ）に示すように、各ポール受具１のフック部６をフック受けレール１１の凹溝１３側に引掛けて回動しつつ押し下げることによって嵌合させることができる。また、各ポール受具１の下部押さえ片８で長押本体１０の下端を挟持することによって各ポール受具１を長押本体１０に取り付けることができる。この状態で各ポール受具１のアーム２のポール受部３にポール４を掛け、ポール４に衣服用ハンガー５や物干し用ハンガー等を引掛けることが可能となる。
【００３８】
さらに、上記のポール４が不要なとき、ポール４に掛けた衣服用ハンガー５や物干し用ハンガー等を取り外した状態で、長押本体１０の下端からポール受具１の下部押さえ片８を引き外すと共に、フック部６をフック受けレール１１の周りに回動しつつ取り外すことにより、各ポール受具１を長押本体１０から容易に取り外すことが可能となる。このように長押本体１０からポール受具１を取り外した後には、室内の壁面に長押本体１０のみを残すこととなり、室内が見た目にもすっきりとして、意匠的にも優れたものとなる。
【００３９】
本発明の他の実施例として、図５に示すように、上記の実施例１と同様に構成したポール受具１のアーム２の上部に沿ってアーム２の強度を増すために設けられた補強リブ２０の上辺の所定箇所に小径ポール２２（図６参照）を受けるための小径ポール受溝９が形成された構成としてもよい。
【００４０】
このような構成によって、図６に示すように、壁面に固定した長押本体１０に少なくとも２個（図６においては３個）のポール受具１、１…を取り付け、各ポール受具１のアーム２の補強リブ２０に設けられた小径ポール受溝９に小径ポール２２を掛けることが可能となる。このようにして、ポール受部３に掛けたポール４又は小径ポール受溝９に掛けた小径ポール２２に、適宜、衣服用ハンガー５や物干し用ハンガー等の他、Ｓ字フック２１を取り付けることが可能となる。
【００４１】
なお、上記のように、本発明によるポール受具１は長押本体１０に対して適宜の位置で取り付けることが可能であるため、ポール４や小径ポール２２に掛けた衣服用ハンガー５や物干し用ハンガー等の他、Ｓ字フック２１に引掛けた物品の重量が重くなったとき、ポール受具１の取り付け個数を増やして全体重量に耐えるための強度を増すことも可能である。
【実施例２】
【００４２】
本発明の実施例２として、物掛け用ポール受具１を図８（ａ）、（ｂ）に示す構造としてもよい。この物掛け用ポール受具１は、実施例１と同様に高強度の金属から形成するほか、他の硬質樹脂、例えば強化プラスチックのインジェクション成形によって作製することが可能である。この物掛け用ポール受具１の構成は、実施例１と同様に、長押本体１０のフック受けレール１１に引掛けて嵌合するフック部６と、該フック部６の下部から垂下してなる支持片７と、該支持片７の下端にて水平後方に張り出した下部押さえ片８とを有する。
【００４３】
ただし、本実施例において、フック部６の強度を増強するため、フック部６の外周に肉厚部６ａを形成するほか、フック部６そのものの肉厚を厚く形成してもよい。
【００４４】
また、本実施例においても、各ポール受具１の支持片７の後面には、長押本体１０の前面に当接してアーム２を水平状態に保つ突出片１９が形成されている。
【００４５】
さらに、図８（ａ）、（ｂ）に示すように、本実施例においては、実施例１のように補強リブ２０を形成したものではなく、アーム２全体の外周部２ａの幅を均等に形成すると共に、内部２ｂの肉厚を薄く形成することによって、アーム２全体の強度を増すようにしている。また、このようなアーム２は、その先端にポール受部３が形成されたことによってポール４を掛けることができる。さらに、アーム２の途中の１箇所又は複数個所に小径ポール受部９が形成されたことにより、１本又は複数本の小径ポール２２を掛けることが可能となる。なお、アーム２の途中に小径ポール受部９を形成せずに、アーム２の先端にポール受部３のみを設けた構成としてもよい。
【００４６】
上記のように、本実施例のポール受具１は、フック部６やアーム２の強度を増すことによって、ポール受部３に掛けたポール４、或は小径ポール受部９に掛けた小径ポール２２に多数の衣服用ハンガー５や重量のある物干し用ハンガー等を引掛けたときの耐強度を確保するようにしたものであり、その他は実施例１と同様の効果を有する。
【産業上の利用可能性】
【００４７】
本発明の物掛け用ポール受具は、室内等の壁面に固定した長押本体にポールを支持するためのポール受具を容易且つ着脱自在に取り付けることを可能とした物掛け用ポール受具であって、壁面に水平状に固定する長尺板材の上方外側に沿って張り出したフック受けレールと、該フック受けレールの後部に沿って形成した凹溝とを有してなる長押本体の使用を前提とし、この長押本体に対して容易且つ着脱自在に取り付けたポール受具を利用して衣服用ハンガーや物干し用ハンガー等を引掛けるように構成した物掛け用ポール受具として利用することが可能である。
【符号の説明】
【００４８】
１  ポール受具
２  アーム
３  ポール受部
４  ポール
５  衣服用ハンガー
６  フック部
７  支持片
８  下部押さえ片
９  小径ポール受溝
１０  長押本体
１１  フック受けレール
１２  長尺板材
１３  凹溝
１４  溝面
１５  化粧シート
１６  木ネジ
１７  化粧ボード
１８  下地
１９  突出片
２０  補強リブ
２１  Ｓ字フック
２２  小径ポール
【図１】
2011015884.tif 000003
【図２】
2011015884.tif 000004
【図３】
2011015884.tif 000005
【図４】
2011015884.tif 000006
【図５】
2011015884.tif 000007
【図６】
2011015884.tif 000008
【図７】
2011015884.tif 000009
【図８】
2011015884.tif 000010
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
壁面に水平状に固定する長尺板材からなる長押本体であって、該長尺板材の上方外側に沿って張り出したフック受けレールの断面形状が円弧形状に形成され、該フック受けレールの円弧形状の一部が長押本体の前面から突出すると共に、該フック受けレールの後部に沿って凹溝が形成されてなる長押本体のフック受けレールに着脱自在且つ摺動自在に取り付ける物掛け用ポール受具であり、
該ポール受具は、長押本体のフック受けレールの凹溝側に引掛けて嵌合するフック部と、該フック部の下部から垂下してなる支持片と、該支持片の下端にて水平後方に張り出した下部押さえ片と、支持片の下端から水平前方に張り出したアームと、該アームの先端に設けられ下方に向けて円弧形状に湾曲してなるポール受部とからなる物掛け用ポール受具において、
該ポール受具のフック部は、その先端がフック受けレールの後部の凹溝の底部に接触する部位からフック受けレールの円弧形外周に沿って前方へ回り込み、長押本体の前面に当接する位置まで湾曲してなり、
該ポール受具の支持片は、フック部の下部から長押本体の前面に沿って垂下すると共に、該支持片の後面に長押本体に当接してアームを水平に保つ突出片が形成され、
少なくとも２個のポール受具を長押本体のフック受けレールに間隔をあけて配し、各ポール受具のフック部をフック受けレールの凹溝側に引掛けて回動しつつ押下げることによって嵌合させ、各ポール受具の下部押さえ片で長押本体の下端を挟持することによって各ポール受具を長押本体に取り付け、この状態で各アームのポール受部にポールを掛けることを可能とする一方、
長押本体の下端から下部押さえ片を引き外すと共にフック部をフック受けレールの周りに回動しつつ取り外し可能としたことを特徴とする物掛け用ポール受具。
【請求項２】
各ポール受具のアームの上部に沿って設けられた補強リブに小径ポールを受けるための小径ポール受溝が形成されていることを特徴とする請求項１記載の物掛け用ポール受具。
【手続補正２】
【補正対象書類名】明細書
【補正対象項目名】００１２
【補正方法】変更
【補正の内容】
【００１２】
上記の問題を解決するために、本発明における請求項１の物掛け用ポール受具は、壁面に水平状に固定する長尺板材からなる長押本体であって、該長尺板材の上方外側に沿って張り出したフック受けレールの断面形状が円弧形状に形成され、該フック受けレールの円弧形状の一部が長押本体の前面から突出すると共に、該フック受けレールの後部に沿って凹溝が形成されてなる長押本体のフック受けレールに着脱自在且つ摺動自在に取り付ける物掛け用ポール受具であり、該ポール受具は、長押本体のフック受けレールの凹溝側に引掛けて嵌合するフック部と、該フック部の下部から垂下してなる支持片と、該支持片の下端にて水平後方に張り出した下部押さえ片と、支持片の下端から水平前方に張り出したアームと、該アームの先端に設けられ下方に向けて円弧形状に湾曲してなるポール受部とからなる物掛け用ポール受具において、該ポール受具のフック部は、その先端がフック受けレールの後部の凹溝の底部に接触する部位からフック受けレールの円弧形外周に沿って前方へ回り込み、長押本体の前面に当接する位置まで湾曲してなり、該ポール受具の支持片は、フック部の下部から長押本体の前面に沿って垂下すると共に、該支持片の後面に長押本体に当接してアームを水平に保つ突出片が形成され、少なくとも２個のポール受具を長押本体のフック受けレールに間隔をあけて配し、各ポール受具のフック部をフック受けレールの凹溝側に引掛けて回動しつつ押下げることによって嵌合させ、各ポール受具の下部押さえ片で長押本体の下端を挟持することによって各ポール受具を長押本体に取り付け、この状態で各アームのポール受部にポールを掛けることを可能とする一方、長押本体の下端から下部押さえ片を引き外すと共にフック部をフック受けレールの周りに回動しつつ取り外し可能としたことを特徴とする。
【手続補正３】
【補正対象書類名】明細書
【補正対象項目名】００１４
【補正方法】削除
【補正の内容】